(57)【要約】【課題】  装置本体内に配置するセンサー装置からの無線信号を受けるアンテナからポート部へのケーブル引き回しを不要とし、ポート部における密封構造を簡素化できるようにする。【解決手段】  金属製支持基板２３は、装置本体１７に形成されたポート部１９を塞ぐようにして外部から当該ポート部１９のフランジ２１に固定する。アンテナ部２７は、先端が塞がれた細長い筒体２９と、この筒体２９内に挿入された長尺状のアンテナ本体３１を有する。アンテナ部２７は、その先端を装置本体１７内に向けて突出させるようにしてその支持基板２３に密封支持する。【選択図】  図１
2007306449.tif 000002
【特許請求の範囲】
【請求項１】
装置本体に形成され内外を連通するポート部と、
このポート部を塞ぐように外部から当該ポート部に固定された金属製の支持基板と、
先端が塞がれた細長い絶縁性筒体内に長尺状のアンテナ本体を挿入してなるアンテナ部であって、前記先端を装置本体内に向けて前記支持基板を貫通突出して前記支持基板に密封支持されたアンテナ部と、
を具備することを特徴とするポート設置形アンテナ装置。
【請求項２】
前記アンテナ部は、前記アンテナ本体が前記筒体内の基部に進退動可能にねじ込まれて形成されてなる請求項１記載のポート設置形アンテナ装置。
【請求項３】
前記アンテナ部は、前記筒体が耐熱性合成樹脂からなる請求項１又は２記載のポート設置形アンテナ装置。
【請求項４】
前記アンテナ本体に接続され当該アンテナ本体で受けた受信信号を処理する受信部を有する請求項１〜３のいずれか１項記載のポート設置形アンテナ装置。
【発明の詳細な説明】
【技術分野】
【０００１】
本発明はポート設置形アンテナ装置に係り、温度、圧力又は湿度等が広範囲に変化する環境下で使用可能なポート設置形アンテナ装置に関する。
【背景技術】
【０００２】
高温蒸気滅菌装置（オートクレーブ装置）や顆粒状インスタントコーヒーを製造する装置（フリーズドライ装置）等のように、温度、圧力、湿度等の環境雰囲気が大きく変化する環境下でそれら装置内の温度、圧力、湿度等を測定する装置としては、例えば図４に示すように、温度等を測定するとともに測定データを無線信号に乗せて発射するセンサー装置１およびその無線信号を受ける内部アンテナ３を装置本体５内に配置し、内外を連通する連通部としての筒状ポート部７を装置本体５に突出形成し、内部アンテナ３から延びるケーブル９をポート部７を介して外部に導出して受信装置１１に接続する構成が知られている。
【０００３】
しかも、ケーブル９は装置本体５の内外で分かれ、ポート部７に外部から固定された支持基板１３において、溶融固化されたガラス充填剤等によってハーメチックシールした状態の導線１５によって互いに接続されている。なお、便宜上、装置本体５や支持基板１３は簡略化した断面で示されている。
【０００４】
このような装置では、装置本体５内部の温度等をセンサー装置１で測定して無線信号に乗せて発射し、これを内部アンテナ３で受けるとともに、内部アンテナ３からポート部７（導線１５）を介してケーブル９で受信装置１１まで導出して復調したり信号処理し、測定される。特許文献１（特開平９−２１０７９９号公報）もこの種のものである。
【特許文献１】特開平９−２１０７９９号公報
【発明の開示】
【発明が解決しようとする課題】
【０００５】
しかしながら、図４に示したような装置では、装置本体５内における内部アンテナ３とポート部７間のケーブル９の引き回しに煩わしさがあるうえ、ポート部７から受信装置１１間のケーブル９の引き回しも煩わしく、組み立てや測定の作業性が低い難点がある。
【０００６】
さらに、温度、圧力又は湿度等が広範囲に変化する装置本体５内の密封性を確保する観点から、ケーブル９を貫通するポート部７および支持基板１３を良好な密封構造にするために特別の工夫が必要であった。
【０００７】
本発明はそのような課題を解決するためになされたもので、装置本体内におけるケーブルの引き回しを不要とし、ポート部における密封構造を簡素化することが可能なポート設置形アンテナ装置の提供を目的とする。
【課題を解決するための手段】
【０００８】
そのような課題を解決するために本発明に係るポート設置形アンテナ装置は、装置本体に形成され内外を連通するポート部と、このポート部を塞ぐように外部から当該ポート部に固定された金属製の支持基板と、先端が塞がれた細長い絶縁性筒体内に長尺状のアンテナ本体を挿入してなるアンテナ部であって、その先端を装置本体内に向けてその支持基板を貫通突出してその支持基板に密封支持されたアンテナ部とを具備している。
【０００９】
そして、本発明では、上記アンテナ部としてそのアンテナ本体をその筒体内の基部に進退動可能にねじ込んで形成する構成も可能である。
【００１０】
また、本発明では、上記アンテナ部においてその筒体を耐熱性合成樹脂で形成する構成も可能である。
【００１１】
さらに、本発明では、上記アンテナ本体に接続され当該アンテナ本体で受けた受信信号を処理する受信部を有する構成も可能である。
【発明の効果】
【００１２】
このような本発明に係るポート設置形アンテナ装置では、装置本体に形成した内外連通用のポート部を外部から金属製の支持基板で固定して塞ぎ、先端が塞がれた細長い絶縁性筒体内に長尺状のアンテナ本体を挿入して形成したアンテナ部を、その先端を装置本体内に向けて支持基板に貫通突出させた状態で密封支持するから、装置本体内におけるケーブルの引き回しが不要となって作業性が良好となるうえ、ポート部における密封構造を簡素化することが可能となる。
【００１３】
そして、上記アンテナ部としてそのアンテナ本体をその筒体内の基部に進退動可能にねじ込む構成では、無線信号の受信強度を調整可能となる。
【００１４】
また、上記アンテナ部においてその筒体を耐熱性合成樹脂で形成する構成では、アンテナ部の屈曲が可能となって狭い空間に配置可能であるうえ、高温の環境下においても使用可能である。
【００１５】
さらに、上記アンテナ本体に接続され当該アンテナ本体で受けた受信信号を処理する受信部を有する構成では、外部の測定装置等とケーブルで直接接続が可能である。 
【発明を実施するための最良の形態】
【００１６】
以下、本発明の実施の形態を図面を参照して説明する。
【００１７】
図１は本発明に係るポート設置形アンテナ装置の実施の形態を示す概略断面図である。
【００１８】
図１において、ステンレスその他の耐食性金属製装置本体１７は、上述した図４の装置本体５のような密封構成を有し、一部が外部に円筒状に一体的に突出したポート部１９を有し、このポート部１９の先端が若干広がってフランジ２１となっている。
【００１９】
装置本体１７内には、上述した図４に示したように、温度等を測定するとともに測定データを無線信号に乗せて発射するセンサー装置１が配置されるが、図１では図示を省略する。
【００２０】
ポート部１９には、そのフランジ２１とほぼ同径の外形を有する例えばステンレス製の円板状支持基板２３が当接され、公知の固定手段（図示省略）によって分離可能に密着固定されている。
【００２１】
支持基板２３のほぼ中部には貫通孔２５が形成されており、この貫通孔２５にはアンテナ部２７が密封支持されている。
【００２２】
上述したポート部１９の内径ａはアンテナ部２７の外形ｂより大径になっており、アンテナ部２７がポート部１９内に遊びをもってポート部１９より装置本体１７内に突出している。
【００２３】
アンテナ部２７は、ふっ素樹脂やポリイミド樹脂等のように絶縁性および耐熱性の良好な合成樹脂から、貫通孔２５の内径とほぼ同径又は僅かに小径の直径を有して細長い筒状に形成され先端の塞がれた筒体２９と、この筒体２９内に端部を突出するように挿入されたヘリカルコイル状の細長いアンテナ本体３１を有して形成されている。
【００２４】
アンテナ部２７の筒体２９は、図２に示すように、支持基板２３に支持される基部外周にねじ溝３３を有し、アンテナ本体３１はその筒体２９内に進退動可能に挿入され、その基部外周にねじ溝３５を有するとともに筒体２９から突出している。なお、アンテナ本体３１の先端もポート部１９より装置本体１７内側に突出している。
【００２５】
アンテナ部２７は、その先端とは反対の他端側（基部側）から支持基板２３の貫通孔２５に筒体２９を貫通するよう挿入され、その他端近傍外周に形成された係止部３７を支持基板２３に当接させるとともに、ナット３９を筒体２９外周にねじ込み締め付けることにより、支持基板２３を挟むようにこれに密封支持されている。
【００２６】
図２中の符号４０は、支持基板２３の貫通孔２５端部と係止部３７間に密着挿入されたシール用の弾性体Ｏリングであり、耐食性および耐熱性合成樹脂から形成されている。
【００２７】
アンテナ部２７のアンテナ本体３１は、筒体２９から突出された部分の外周にナット４１をねじ込んで締め付け、筒体２９に固定されている。すなわち、アンテナ本体３１の基部外周にはねじ溝が形成され、ナット４１がねじ込まれるとともにアンテナ本体３１自体も筒体２９内にねじ込まれている。
【００２８】
支持基板２３には、図１に示すように、それらアンテナ部２７の筒体２９やアンテナ本体３１の基部およびナット３９、４１を遊びを持って覆うようにキャップ４３が被せられ、このキャップ４３が従来公知の手法によって支持基板２３に固定されている。
【００２９】
キャップ４３には従来公知のコネクタ４５が配置されており、このコネクタ４５はリード線４７を介してアンテナ本体３１に接続されている。
【００３０】
次に、本発明に係るポート設置形アンテナ装置の使用例をごく簡単に説明する。
【００３１】
装置本体１７内に配置されたセンサー装置（図４参照）から、測定データを無線信号に乗せて電波が発射されると、アンテナ部２７のアンテナ本体３１には高周波信号が誘起し、これがリード線４７を介してコネクタ４５から直接出力される。
【００３２】
従って、コネクタ４５に図４のような受信装置１１を接続すれば、受信信号を復調したり信号処理して測定データを装置本体１７の外で測定表示できる。
【００３３】
さらに、アンテナ部２７のアンテナ本体３１にねじ込んだナット４１を緩め、アンテナ本体３１を筒体２９に対して進退動し、再度、ナット４１を締めて固定すれば、支持基板２３からアンテナ本体３１の突出長が調整される。
【００３４】
このような本発明に係るポート設置形アンテナ装置では、装置本体１７に形成されたポート部１９を塞ぐようにして外部から金属製支持基板２３をそのポート部１９のフランジ２１に固定し、先端が塞がれた細長い筒体２９内に長尺状のアンテナ本体３１を挿入してアンテナ部２７を形成し、このアンテナ部２７をその先端を装置本体１７内に向けて突出させるようにしてその支持基板２３に密封支持した。
【００３５】
そのため、装置本体１７内におけるケーブルの引き回しが不要となって組み立てや測定の作業性が簡単であるうえ、ポート部１９における密封構造が確実かつ簡素化される。
【００３６】
しかも、アンテナ部２７のアンテナ本体３１をその筒体２９内の基部に進退動可能にねじ込んで形成するから、アンテナ本体３１を筒体２９に対して進退動させると、支持基板２３から突出するアンテナ本体３１の長さが調整され、無線信号の受信強度を可変可能となる。
【００３７】
特に、装置本体１７内に配置されたセンサー装置からの電波が弱い場合、又はポート部１９の内径ａが受信する電波の周波数のλ／２より小さい場合、アンテナ本体３１をポート部１９に対してより装置本体１７内側へ突出させ、無線信号の受信強度を向上させることが可能となる。
【００３８】
しかも、アンテナ部２７は、筒体２９は耐熱性合成樹脂で形成されているから、アンテナ部２７の屈曲が可能となって装置本体１７内の狭い空間に配置可能であるうえ、高温、高湿の環境下においても使用可能である。
【００３９】
なお、本発明における、アンテナ部２７のアンテナ本体３１は、上述したヘリカルコイル状のアンテナに限らず、例えばポールアンテナその他公知の長尺状アンテナで実施可能である。
【００４０】
上述した本発明のポート設置形アンテナ装置は、アンテナ本体３１に誘起された高周波信号をコネクタ４５から直接出力させる構成に限定されない。
【００４１】
例えば、図３に示すように、アンテナ本体３１で受けた受信信号を処理する受信部４９をキャップ４３内に配置する構成も可能である。
【００４２】
この受信部４９は、アンテナ部２７のアンテナ本体３１が無線電波を受信することで誘起された高周波信号をリード線４７を介して入力し、復調その他の信号処理を行う変換器又は中継器の役割を有する。図３においてそれ以外の構成は図１のものと同様である。
【００４３】
このような無線受信機能を有するポート設置形アンテナ装置では、ポート部１９のコネクタ４５と図示しない測定装置間をケーブルで直結することが可能で、外部に上述した受信装置１１を配置する必要もなく、省スペースと省配線化が可能である。
【００４４】
なお、受信部４９に送信機能を設ければ、アンテナ部２７から装置本体１７内部に向けて種々のデータを無線伝送可能となる。
【図面の簡単な説明】
【００４５】
【図１】本発明に係るポート設置形アンテナ装置を示す概略断面図である。
【図２】図１に示すポート設置形アンテナ装置の要部拡大断面図である。
【図３】本発明に係るポート設置形アンテナ装置の他の実施の形態を示す要部断面図である。
【図４】従来のポート設置形アンテナ装置を示す概略図である。
【符号の説明】
【００４６】
１  センサー装置
３  内部アンテナ
５、１７  装置本体
７、１９  ポート部
９  ケーブル
１１  受信装置
１３、２３  支持基板
１５  導線
２１  フランジ
２５  貫通孔
２７  アンテナ部
２９  筒体
３１  アンテナ本体
３３、３５  ねじ溝
３７  係止部
３９、４１  ナット部
４０  弾性体Ｏリング
４３  キャップ
４５  コネクタ
４７  リード線
４９  受信部
【図１】
2007306449.tif 000003
【図２】
2007306449.tif 000004
【図３】
2007306449.tif 000005
【図４】
2007306449.tif 000006